(57)【要約】      （修正有）【課題】平坦でない床や地面等においても容易に設置でき、かつ安定して作業を行なうことができる脚立を提供する。【解決手段】前後に２分割された天板１、２の相互に対向する垂直面１２ａ、２２ａを３本のボルトで連結する。中央部分の第１のボルト５によって、垂直面１２ａ、２２ａを相互に回転自在に連結する。第２のボルト６及び第３のボルト７によって、一方の垂直面１２ａに設けた長穴を介して、それぞれ相互に対向する垂直面を１２ａ、２２ａを連結する。第２のボルト６に、脚立を設置後において締め付け力を高めるロックハンドルを設ける。ボルト５、６、７は、それぞれ相互に対向する垂直面１２ａ、２２ａの間に皿バネ２５を挿入して、ナット５１、６１、７１によって連結する。【選択図】図５
0003172345.tif 000002
【実用新案登録請求の範囲】
【請求項１】
前後に２分割された天板と、この２分割された天板の一方に固定された梯子と、この２分割された天板の他方に前後方向に揺動自在に設けられた梯子とを備え、
上記２分割された天板は、水平な上面と、この水平な上面と直交すると共に相互に対向する垂直面とをそれぞれ有し、
上記２分割された天板は、相互に対向する上記垂直面において、第１のボルトを軸として回転自在にボルト連結されており、
上記２分割された天板の一方の垂直面には、上記第１のボルトの左右のいずれかの位置に、上下方向に長い長穴が開口しており、
上記２分割された天板の一方の垂直面は、上記長穴を介して他方の垂直面に第２のボルトによってボルト連結されており、
上記第１のボルト及び第２のボルトによるボルト連結においては、相互に対向する上記垂直面の間に、それぞれ皿バネが挿入されており、
上記第２のボルトによるボルト連結には、このボルト連結の締め付け力を高めるロックハンドルが設けられている
ことを特徴とする脚立。
【請求項２】
上記第１のボルトは、上記垂直面の中央部に位置し、
上記２分割された天板の一方の垂直面には、上記第１のボルトの左右に、それぞれ上下方向に長い長穴が開口しており、
上記２分割された天板の一方の垂直面は、上記長穴を介して他方の垂直面に、それぞれ第２のボルト及び第３のボルトによってボルト連結されている
ことを特徴とする請求項１に記載の脚立。
【請求項３】
相互に対向する上記垂直面のいずれか一方には、上記第２のボルトを挿入する長穴に隣接して突起部が突設されており、
上記突起部の頂部と他方の上記垂直面との間には、所定の間隙が設けてある
ことを特徴とする請求項１または２に記載の脚立。
【請求項４】
上記垂直面を構成する部材は、それぞれステンレス製である
ことを特徴とする請求項１乃至３のいずれかに記載の脚立。
【請求項５】
上記２分割された天板の一方に固定された梯子と、この２分割された天板の他方に前後方向に揺動自在に設けられた梯子とのいずれかの一方は、所定の高さ位置において所定の長さのチェーンを備え、
上記２分割された天板の一方に固定された梯子と、この２分割された天板の他方に前後方向に揺動自在に設けられた梯子とのいずれかの他方は、上記チェーンを任意の長さ位置において係止できるフックを備えている
ことを特徴とする請求項１乃至４のいずれかに記載の脚立。
【考案の詳細な説明】
【技術分野】
【０００１】
本考案は、平坦でない床や地面等に設置しても安定して作業を行なえる脚立に関する。
【背景技術】
【０００２】
従来から、３本脚より安定性に優れた４本脚の脚立が広く用いられている。この４本脚の脚立は、通常、前後に２分割された天板を、前後方向に相互に揺動自在に連結し、この２分割された天板に、それぞれ下方向に向かって末広がりの２本の脚を有する梯子を取り付けて構成されている。
【０００３】
しかるに４本脚の脚立は、設置する床や地面等が平坦でないときには、４本脚
のうち１本は床等から浮き上がるために、足元が不安定のままとなって、脚立に載って作業を行なう際に、突然脚立に横揺れが発生し、転倒や落下等の危険が伴う。したがって設置する床等が平坦でないときには、浮き上がった脚と床等との間に、適切な厚さの部材を差し込んで、脚立のふらつきを防止している。
【０００４】
ところが浮き上がった脚と床等との間隔は、設置する場所毎に異なる場合が多いため、その都度、適切な厚さの部材を入手することは必ずしも容易ではない。また設置する場所を移動する毎に、厚さが異なる部材を取り替えるのは手間が掛かる。したがって、ほとんどの場合、多少の浮き上がりは無視して、足元が不安定のままで作業を行なわざるを得ない状態にある。
【０００５】
このような問題を解決するために、前後に２分割された天板を、中央部分において１本の水平な軸によって連結し、この水平な軸を中心として、前後の梯子を相互に左右方向に揺動自在とした脚立が提案されている（特許文献１参照。）。このように前後に２分割された天板を、１本の水平な軸によって左右方向に揺動自在に連結すれば、床等が平坦でない場合にも、前後の梯子が相互に左右方向に傾いて、４本脚の全てを床等に接触させることが可能となり、脚立を安定して設置することができる。
【先行技術文献】
【特許文献】
【０００６】
【特許文献１】実開昭４９−０５３９３１号公報（図３及び図５等）
【考案の概要】
【考案が解決しようとする課題】
【０００７】
しかるに上記特許文献１に記載の脚立について、鋭意研究と実験とを重ねた結果、さらに改良すべき課題があることが判明した。すなわち特許文献１に記載の脚立は、その図５等に示されているように、前後に２分割された天板は、それぞれ側方から見てＬ字形状の断面形状に形成されており、このＬ字の垂直面を相互に対向して当接させ、この垂直面の中央部分において、１本の水平な軸で揺動自在に連結したものになっている。つまり前後の梯子は、前後に２分割された天板において、１本の水平な軸のみによって連結されている。
【０００８】
この脚立は、垂直面の全面が相互に当接しているため、当接面の面積が広くなる。したがって１本な水平な軸において締め付け力を高めると、垂直面の広い面積が相互に強く当接して、当接面における摩擦力が大きくなり、前後の梯子が揺動し難くなる。このため平坦でない床等に設置する際に、４本脚の全てを床等に接触させることが困難となる。特許文献１においては、明細書の４頁中段等に記載してあるように、相互に当接する垂直面は、１本の水平な軸を中心として、容易に揺動できるように構成されているため、このような問題は回避されている。
【０００９】
しかるに相互に当接する垂直面を、１本の水平な軸を中心として、容易に揺動できるよう構成すると、次の問題があることが判明した。すなわち脚立を使用するときには、位置や姿勢を変えつつ作業を行なう場合が多く、人の体重の重心位置が移動する。一方脚立に人の体重が掛かると、前後の梯子や天板に撓みが生じる。特に、人の体重が移動する場合には、体重のみならず移動による衝撃力も加わる。
【００１０】
かかる場合に、１本の水平な軸のみによって左右方向に容易に揺動する構成では、体重の移動毎に、前後の梯子が左右方向に敏感に反応して揺動するため、常に足元が不安定となって、極めて作業がし難い状態となる。さらには転倒や落下等の危険性が伴う。
【００１１】
さらに体重が移動すると、左右方向のみならず、上方から見て、前後の梯子を相互に回転させる捻りモーメントが発生する。この捻りモーメントを、１本の水平な軸のみで支持すると、相互に対向する垂直面の当接面が、左右方向の一端部で開くような力が発生し、垂直面を強化しないと、当接面が開くような変形が垂直面に生じることが判明した。しかるに垂直面を強化するためには、この垂直面等の板厚を厚くすることが必要となるところ、板厚を厚くすると、加工コストが嵩み重量が増加する。特に脚立については、持ち運びや設置等を容易にするために、軽量化が強く求められている。したがって、垂直面の板厚等を厚くすると、この要請に応えることが困難になる。
【００１２】
そこで本考案の目的は、平坦でない床や地面等に設置しても、安定して作業を行なえる脚立を提供することにある。
【課題を解決するための手段】
【００１３】
上述した課題を解決すべく、本考案による脚立は、次の特徴を備えている。すなわち前後に２分割された天板の相互に対向する垂直面を、水平方向に配置した少なくとも２本のボルトで連結する。ここで１本のボルトは、相互に対向する垂直面を、相互に左右方向に回転自在に連結する。他のボルトは、垂直面の一方に設けた挿着穴を長穴にして、他方の垂直面に挿着されたボルトを、相互に上下方向に移動可能とする。また他の垂直面に挿入されたボルトのうち1本に、脚立を設置後に締め付け力を高めるロックハンドルを設ける。そして各ボルトは、相互に対向する垂直面の間に皿バネを挿入して、ナットで連結する。
【００１４】
すなわち本考案による脚立は、前後に２分割された天板と、この２分割された天板の一方に固定された梯子と、この２分割された天板の他方に前後方向に揺動自在に設けられた梯子とを備えている。上記２分割された天板は、水平な上面と、この水平な上面と直交すると共に相互に対向する垂直面とをそれぞれ有している。上記２分割された天板は、相互に対向する上記垂直面において、第１のボルトを軸として回転自在にボルト連結されている。
【００１５】
上記２分割された天板の一方の垂直面には、上記第１のボルトの左右のいずれかの位置に、上下方向に長い長穴が開口しており、この２分割された天板の一方の垂直面は、この長穴を介して他方の垂直面に第２のボルトによってボルト連結されている。上記第１のボルト及び第２のボルトによるボルト連結においては、相互に対向する上記垂直面の間に、それぞれ皿バネが挿入されており、この第２のボルトによるボルト連結には、このボルト連結の締め付け力を高めるロックハンドルが設けられている。
【００１６】
ここで上記第１のボルトを、上記垂直面の中央部に設け、上記長穴を、この第１のボルトの左右にそれぞれ設け、上記２分割された天板の一方の垂直面を、この長穴を介して他方の垂直面に、それぞれ第２のボルト及び第３のボルトによってボルト連結し、この第２のボルトによるボルト連結に、このボルト連結の締め付け力を高めるロックハンドルを設けるように構成することが望ましい。
【００１７】
また相互に対向する上記垂直面のいずれか一方に、上記第２のボルトを挿入する長穴に隣接して突起部を突設し、この突起部の頂部と他方の上記垂直面との間に、所定の間隙を設けるように構成することが望ましい。また上記垂直面を構成する部材は、それぞれステンレス製であることが望ましい。
【００１８】
さらに上記２分割された天板の一方に固定された梯子と、この２分割された天板の他方に前後方向に揺動自在に設けられた梯子とのいずれかの一方は、所定の高さ位置において所定の長さのチェーンを備えており、この２分割された天板の一方に固定された梯子と、この２分割された天板の他方に前後方向に揺動自在に設けられた梯子とのいずれかの他方は、このチェーンの任意の長さ位置に係止できるフックを備えていることが望ましい。
【考案の効果】
【００１９】
前後に２分割された天板の他方のみに、梯子を揺動自在に設けることによって、脚立を容易に開脚させることができると共に、天板の一方においては梯子を固定して梯子の可動部を一個所とすることによって、前後方向の安定性をより向上させることができる。２分割された天板の相互に対向する垂直面において、第１のボルトを軸として回転自在にボルト連結することによって、前後の梯子が左右方向に揺動可能となり、床等が平坦でない場合でも、前後の梯子の４脚の全てを、容易に床等に接触するように設置させることができる。
【００２０】
上記２分割された天板の一方の垂直面に、上記第１のボルトの左右のいずれかの位置において、それぞれ上下方向に長い長穴を開口し、この２分割された天板の一方の垂直面を、それぞれこの長穴を介して他方の垂直面に第２のボルトによってボルト連結することにより、上記第１のボルトを回転軸として、この長穴の長さ範囲内において、前後の梯子を左右方向に揺動させることができる。上記第１のボルト及び第２のボルトによるボルト連結において、相互に対向する上記垂直面の間に、それぞれ皿バネを挿入することによって、次の効果が得られる。
【００２１】
すなわち相互に対向する垂直面は、皿バネとの限られた面積においてのみ接触し、この皿バネの反発力によって相互に連結される。したがって相互に対向する垂直面の間の摩擦力は、垂直面同士を直接当接させる場合に較べると、大幅に小さくなるため、脚立を平坦でない床等に設置する際に、前後の梯子が容易に揺動して、容易に４本脚の全てを床等に接触させることができる。なお皿バネを設けないと、反発力による摩擦抵抗が生じないため、脚立を開脚して設置する際に、前後の梯子が不用意に揺動し、脚立の設置に、かえって手間取ることが判明した。
【００２２】
上記第２のボルトによるボルト連結に、このボルト連結の締め付け力を高めるロックハンドルを設けることによって、２分割した天板の垂直面を、第１のボルトと第２のボルトによる２個所において、相互に左右及び上下方向にズレないように支持することができる。したがって左右方向の揺動モーメントを、この２個所において受け止めることが可能となり、この揺動モーメントに確実に対抗することができる。
【００２３】
また上述した、上から見て前後の梯子を捻るような捻りモーメントに対しても、相互に対向する垂直面は、ロックハンドルで強く締め付けられた第２のボルトと、皿バネを介して連結された第１のボルトとの２個所で連結されるため、この垂直面の左右の一端が、前後方向に開くように変形することを防止することができる。
【００２４】
なお上記第１のボルトを、上記垂直面の中央部に設け、上記長穴を、この第１のボルトの左右にそれぞれ設け、上記２分割された天板の一方の垂直面を、上記長穴を介して他方の垂直面に、それぞれ第２のボルト及び第３のボルトによってボルト連結し、この第２のボルトによるボルト連結に、このボルト連結の締め付け力を高めるロックハンドルを設けるように構成しても、上述したものと同等な作用効果を発揮することができる。
【００２５】
相互に対向する垂直面のいずれか一方に、第２のボルトを挿入する長穴に隣接して突起部を突設し、この突起部の頂部と他方の上記垂直面との間に、所定の間隙を設けることによって、次の作用効果を発揮させることができる。すなわち第２のボルトをロックハンドルによって締め付けると、突起部の頂部が他方の垂直面に当接して押圧されるため、相互に対向する垂直面を、この突起部を介して機械的に連結させることができる。したがって左右方向の揺動モーメントに、より確実に対抗することができる。さらにロックハンドルを、不用意に締め付け過ぎた場合であっても、突起部がストッパーとなって、皿バネを押し潰してしまうことを確実に防止することができる。
【００２６】
垂直面を構成する部材を、それぞれステンレス製にすることによって、垂直面の強度と耐食性とを確保することができる。垂直面には、上述したように前後方向に開くような捻りモーメントが掛かり、さらには皿バネと当接する部分が摺動するため、垂直面の変形をより確実に防止すると共に、スムーズな揺動を維持するためには、垂直面の強度と耐食性とを確保することが極めて重要となる。
【００２７】
２分割された天板の一方に固定された梯子と、この２分割された天板の他方に前後方向に揺動自在に設けられた梯子とのいずれかの一方に、所定の高さ位置において所定の長さのチェーンを備え、この２分割された天板の一方に固定された梯子と、この２分割された天板の他方に前後方向に揺動自在に設けられた梯子とのいずれかの他方に、このチェーンの任意の長さ位置に係止できるフックを備えることによって、チェーンにおいて、両梯子を前後方向に拘束する長さを、きめ細かく迅速に変更することが可能となって、脚立を設置するときの前後方向の開度を、きめ細かく容易に変更することができる。
【００２８】
以上により、本考案による脚立を使用すれば、平坦でない床や地面等においても容易に設置でき、かつ安定して作業を行なうことができる。
【図面の簡単な説明】
【００２９】
【図１】脚立の全体側面図である。
【図２】天板の側面図である。
【図３】天板の正面図である。
【図４】他の天板の正面図である。
【図５】他の天板の上面図である
【図６】他の天板の一部拡大上面図である
【考案を実施するための形態】
【００３０】
図１〜図６を参照しつつ、本考案による脚立の構成等を説明する。さて図１及び図２に示すように、本考案による脚立は、前後に２分割された天板１、２と、この一方の天板１に固定された梯子３と、他方の天板２に前後方向に揺動自在に設けられた梯子４とを備えている。２分割された天板１、２は、それぞれ水平な上面１１、２１と、この水平な上面と直交すると共に相互に対向する垂直面１２ａ、２２ａとを有している。
【００３１】
なお図２及び図５に示すように、天板１、２の水平な上面１１、２１を構成する部材は、それぞれアルミ板からなり、左右の両端と後端とを、それぞれ下方に折り曲げて、側壁１１ａ、１１ｂ、２１ａ、２１ｂと後壁１１ｃ、２１ｃとを形成する。水平な上面１１、２１の下側面には、それぞれ断面がコの字形状の２枚のブラケット１３、２３がリベット止めしてある。そして一方の天板１にリベット止めしたブラケット１３には、梯子３の両脚の上端が、それぞれ２本のボルト３１によって、前後方向に揺動しないように固定してある。他方の天板２にリベット止めしたブラケット２３には、梯子４の両脚の上端が、それぞれ１本のボルト４１によって、前後方向に揺動自在に取り付けてある。
【００３２】
天板１、２の水平な上面１１、２１が相互に対向する辺の下側面には、オーステナイト系のステンレス板をコの字形状の断面に形成した支持部材１２、２２が、それぞれリベット止めしてある。なお支持部材１２、２２において相互に対向する面が、それぞれ垂直面１２a、２２ａを形成する。また垂直面１２a、２２ａの左右の両端は、それぞれ後方に折り曲げられており、上述した天板１、２の側壁１１ａ、１１ｂ、２１ａ、２１ｂに、それぞれ２本のリベット１４、２４によって固定してある。
【００３３】
さて上記２分割された天板１、２の垂直面１２ａ、２２ａは、図３に示すように、それぞれ発錆を防止するためＳＵＳ３０４製の３本のボルトによって相互に連結してある。すなわち垂直面１２ａ、２２ａの中央部には、それぞれ円形の貫通穴が開口しており、この貫通穴に第１のボルト５を挿入し、緩みや脱落を防止するナイロンインサート付のナット５１によって、連結してある。また第１のボルト５の左右には、一方の天板１の垂直面１２ａに、それぞれ上下方向に長い長穴１２ｂ、１２ｂが開口している。
【００３４】
なお他方の天板２の垂直面２２ａには、長穴１２ｂ、１２ｂに対向する位置に、それぞれ円形の貫通穴が開口している。そして上記２分割された天板１、２の垂直面１２ａ、２２ａは、左右の長穴１２ｂ、１２ｂと円形の貫通穴とを介して、それぞれ第２のボルト６、及び第３のボルト７が挿入され、それぞれ高ナット６１、ナイロンインサート付の７１によって連結してある。したがって、相互に対向する垂直面１２ａ、２２ａは、第１のボルト５を回転軸として、左右の長穴１２ｂ、１２ｂの長さの範囲内において、左右方向に相互に揺動可能となっている。
【００３５】
第２のボルト６には、このボルトを締め付けて、ボルト連結の締め付け力を高めるロックハンドル６ａが設けてある。すなわち脚立を床等に設置するときには、ロックハンドル６ａによって第２のボルト６を緩めれば、前後の梯子３、４を、第１のボルト５を回転軸として、左右方向に容易に揺動させることができる。そして脚立に載る前に、ロックハンドル６ａによって第２のボルト６を締め付ければ、相互に対向する垂直面１２ａ、２２ａは、第１のボルト５と第２のボルト６との２個所で連結固定されるため、左右方向の揺動を確実かつ容易に防止することが可能となる。なおロックハンドル６ａには、締め付け回転方向の切替え手段を備えたラチェット機能を設けることが望ましい。
【００３６】
なお梯子３は、下方に向かって広がるアルミ製の左右２本の脚３２と、所定の上下方向の間隔を隔てて設けた、複数段のアルミ製のステップ３３とを備え、これらのステップの両端は、それぞれリベット３４によって、左右２本の脚に固定してある。梯子４についても、同様な構成になっている。
【００３７】
さて図５に示すように、第１のボルト５、第２のボルト６及び第３のボルト７によるボルト連結においては、相互に対向する垂直面１２ａ、２２ａの間に、それぞれ皿バネ５２、６２、７２が挿入されている。皿バネ５２等は、それぞれ凸面を互いに当接させた２枚組みで構成してあり、第１のボルト５、第２のボルト６及び第３のボルト７は、相互に対向する垂直面１２ａ、２２ａが、適度の摩擦力を持ちつつ相互に揺動できるように、それぞれナット５１、６１、７１によって締め付けてある。
【００３８】
なお皿バネ５２等として、段違いの切れ目を有する、いわゆるスプリングワッシャーを使用してもよい。かかる場合には、垂直面１２ａ、２２ａとの摩擦力の軽減や引っ掛かりを回避するため、前後に平座金をそれぞれ挿入することが望ましい。また図３に示すように、相互に対向する垂直面１２ａ、２２ａには、重量の軽減のため、それぞれ４個所に、長穴１２ｃを開けてある。
【００３９】
さて図４は、２分割された天板１０１、１０２の垂直面１１２ａ、１２２ａを、２本のボルトによって相互にボルト連結する構成を示している。すなわち相互に対向する垂直面１１２ａ、１２２ａは、左端部において、上述したものと同様に第１のボルト１０５によって、左右方向に相互に回転自在に連結してある。そして右端部において、上述したものと同様に長穴１１２ｂを介して、第２のボルト１０６によって連結してある。また第２のボルト１０６には、上述したものと同様のロックハンドル１０６ａが設けてある。なお他の部分は、図３等に記載したものと同等になっている。
【００４０】
このように２本のボルトによって連結しても、上述した３本のボルトで連結したときと同様な、作用や機能を発揮できる。
【００４１】
さて図５及び図６に示すように、相互に対向する他方の垂直面２２ａには、左右の長穴１２ｂに隣接して、それぞれ突起部２５が３個所に突設されており、これらの突起部の頂部と他方の垂直面１２ａとの間には、それぞれ所定の間隙、例えば２ｍｍ程度の間隔が設けてある。なお３個の突起部２５のうち２個は、ロックハンドル６ａを設けた第２のボルト６を挟む左右に突設され、残りの１個は、第３のボルト７の外側に突設されている。
【００４２】
したがってロックハンドル６ａによって、第２のボルト６を締め付けたときには、この第２のボルトを挟む左右に突設された突起部２５の頂部と対向する垂直面１２ａとが当接して押圧されるため、左右方向の揺動モーメントに対して、より確実に対抗することができる。また突起部２５を第２のボルト６を挟んで左右に突設することによって、ロックハンドル６ａによって、この第２のボルトを不用意に過大な力で締め付けた場合にも、この締め付け部分において垂直面１２ａ、２２ａが変形したり、皿バネ６２が押し潰されたりすることを回避できる。
【００４３】
なお、第３のボルト７の外側にも突起部２５を突設したのは、脚立の低位置のステップに昇って作業を行なう場合には、ロックハンドル６ａによって第２のボルト６を締め付けることを省いてしまうことが想定される。かかる場合に、上述した捻りモーメントが生じたときには、相互に対抗する垂直面１２ａ、２２ａが、左右の一端において間隔が閉じ、他端において間隔が開くように移動する。このような移動は、皿バネ２５の反発力によって抑制されるが、大きな捻りモーメントが生じたときには、このような移動が大きくなる恐れがある。
【００４４】
そこで第２のボルト６に加えて第３のボルト７の外側にも、突起部２５を突設することによって、過大な捻りモーメントが生じた場合であっても、これらの突起部がストッパーとなって、相互に対抗する垂直面１２ａ、２２ａが過度に閉じることを防止できるため、これらの垂直面が捻り方向に大きく移動することを、さらに抑制することができる。
【００４５】
なお突起部２５は、円形断面の棒材を、それぞれ垂直面１２ａに溶接して突設するが、他の形状のブロック材を溶接したり、いわゆるストパーボルトを、それぞれ先端が垂直面１２ａから突出するように固定したりしてもよい。
【００４６】
また天板１、２、支持部材１２、２２、及びブラケット１３、２３は、それぞれ必要な個所において相互に溶接し、剛性や強度を向上させることが望ましい。
【００４７】
さて図１に示すように、２分割された一方の天板１に前後方向に揺動自在に設けられた梯子３は、所定の高さ位置において所定の長さのチェーン８を備え、他方の天板２に固定された梯子４は、このチェーンを任意の長さ位置において係止できるフック９を備えている。
【００４８】
すなわち前後の梯子３、４の開脚角度を狭くして設置するときには、チェーン８を短い長さ位置においてフック９に係止し、開脚角度が広い場合には、このチェーンを長い長さ位置において、このフックに係止することによって、前後の梯子がそれ以上に開脚することを容易かつ確実に防止できる。したがって前後の梯子３、４の開脚角度に応じて、チェーン８の係止長さを、木目細かく、かつ容易に調整することができる。
【００４９】
なおチェーン８の他に、２点破線によって示したパンタグラフ式の開き止め用ブラケットＡを設けてもよい。ここで脚３、４の一方に、開き止め用ブラケットＡを収納する収納個所を設け、チェーン８によって前後の脚３、４の開度を設定するときには、この収納個所に開き止め用ブラケットを収納するように構成することが望ましい。
【産業上の利用可能性】
【００５０】
本考案による脚立は、平坦でない床や地面等に設置しても、安定して作業を行なうことができるため、脚立に関する産業に広く利用可能である。
【符号の説明】
【００５１】
１、１０１          天板
１１、１１１        水平な上面
１２                支持部材（部材）
１２ａ、１１２ａ    垂直面
１２ｂ、１１２ｂ    長穴
２、２０１          天板
２１、１２１        水平な上面
２２                支持部材（部材）
２２ａ，１２２ａ    垂直面
２５                突起部
３                  梯子
４                  梯子
５、１０５          第１のボルト
５１                ナット
５２                皿バネ
６、１０６          第２のボルト
６ａ、１０６ａ      ロックハンドル
６１                ナット
６２                皿バネ
７                  ３のボルト
７１                ナット
７２                皿バネ
８                  チェーン
９                  フック
【図１】
0003172345.tif 000003
【図２】
0003172345.tif 000004
【図３】
0003172345.tif 000005
【図４】
0003172345.tif 000006
【図５】
0003172345.tif 000007
【図６】
0003172345.tif 000008